Podtech/llm-jp-corpus-v4-ja_patent huggingface dataset:
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
３００ｇ／ｍ2未満の乾燥基本重量を有する不織基材と、
融合するとテクスチャ層が該基材表面を越えて外側に少なくとも５０ミクロン伸びるように該基材の少なくとも１つの表面上へ印刷された非架橋研磨樹脂ベーステクスチャ層と
を含む消費者スクラビングワイプ物品であって、該テクスチャ層が該基材表面の全体未満を覆う物品。
【請求項２】
第１および第２の反対面を画定する、３００ｇ／ｍ2未満の乾燥基本重量を有する不織基材を提供する工程と、
研磨樹脂ベースマトリックスを提供する工程と、
該マトリックスを該不織基材の第１表面上へ印刷する工程であって、該印刷されたマトリックスが該第１表面の全体未満を覆う工程と、
該印刷されたマトリックスを融合させてスクラビネス特性を与えるテクスチャ層を生み出す工程であって、該テクスチャ層がマトリックス樹脂の架橋なしに生み出される工程と
を含み、
該テクスチャ層が融合すると該第１表面を越えて外側に少なくとも５０ミクロン伸びている消費者スクラビングワイプ物品の製造方法。
【手続補正２】
【補正対象書類名】明細書
【補正対象項目名】００２７
【補正方法】変更
【補正の内容】
【００２７】
具体的な印刷技術を問わず、生じた基材１２／テクスチャ層１４は、直ちにスクラビングおよびクリーニング用途での使用に利用可能である。マトリックスの印刷および次の融合（こうして基材１２への接合）で、テクスチャ層１４は、それにテクスチャ層１４が印刷されている基材表面（すなわち、図２での基材表面１６）に関して少なくとも５０ミクロンの距離（図２で「Ｘ」と表される）を伸びていることを特徴とする。より好ましくは、テクスチャ層１４は、相当する基材表面から少なくとも１００ミクロン、さらにより好ましくは少なくとも１５０ミクロン伸びている。とりわけ、少なくとも５０ミクロンのテクスチャ層１４伸長値は、公知の軽量スクラビングワイプでは見いだされないし、優れたスクラビング能力を提供する。あるいはまた、５０ミクロン未満の伸長値もまた、本発明で提供することができ、ある種の最終用途にとっては適切であるかもしれない。逆に、４００ミクロンを超える伸長値もまた達成することができる。実際に、１０００ミクロンを超える伸長値が本発明のテクスチャ層１４で利用可能であり、ある種の用途では有用であるかもしれない。
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
乳房を持上げるシステムで、１以上の固定部を希望の乳首高さより上方の体型保持組織に固定し、１以上の吊り下げ部材が１以上の固定部から吊り下げられ、乳房を下から抱えるために乳房を通って伸びている乳房持ち上げシステム。
【請求項２】
乳房を持ち上げる方法で：
ａ）乳房の下面に２個所の刺し傷状の切り込みを形成する、
ｂ）前記刺し傷状の切り込みから体型保持組織に向かって伸びている２本の縦方向の通路を形成する、
ｃ）ステップ（ｂ）の前又は後で、前記刺し傷状の切り込みの間に伸びて、乳房の下部を通る横方向の通路を形成する、
ｄ）横方向の通路に抱え部材を通す、
ｅ）縦方向の通路のそれぞれに固定部を通し、かつ、それを体型保持組織に取付け、吊り下げ部材を各固定部材に取付ける、
ｆ）抱え部材の端部を吊り下げ部材の対応する端部に結合する、
ｇ）抱え部材及び吊り下げ部材の一方又は両方を引張って、それにより乳房を持ち上げる、及び、
ｈ）抱え部材と吊り下げ部材の相対的位置を固定する、
の各ステップから成る方法。
【請求項３】
乳房持ち上げの方法で：
ａ）乳房の下面に２カ所の刺し傷状の切り込みを形成する、
ｂ）前記刺し傷状の切り込みから体型保持組織に向かって伸びている２本の縦方向の通路を形成する、
ｃ）ステップ（ｂ）の前又は後で、乳房の下部を通り、前記刺し傷状の切り込みの間に伸びている横方向の通路を形成する、
ｄ）第一の固定部を第一の刺し傷状の切り込みと対応する縦方向の通路に通して、それを体型保持組織に取付け、吊り下げ部材の第一の端部を固定部材に取付ける、
ｅ）吊り下げ部材を、第一の刺し傷状の切り込みを通して引き出す、
ｆ）吊り下げ部材の第二の端部を横方向の通路に通し、第一の刺し傷状の切り込みから伸びた輪状のままとする、
ｇ）第二の固定部を第二の刺し傷状の切り込みと対応する縦方向の通路に通し、それを体型保持組織に取付け、吊り下げ部材が第二の固定部材に滑動可能に取り付ける、
ｈ）乳房を持ち上げるために、吊り下げ部材を引っ張る、
ｉ）吊り下げ部材の相対的位置を固定する、
の各ステップから成る方法。
【請求項４】
乳房を持ち上げる処置で用いるため、コード状の抱え部材と対応する吊り下げ部材を引張り、固定するための外科ツールで、２本以上のコードを受けるためのコード受入れ用開口部を前端に組込んでいるハウジング、少なくとも２本のコードをクランプにより結合するためのクランピング機構、及び、クランプ付近でコードを切除するためのコード切除機構から成る外科ツール。
【請求項５】
乳房持ち上げ処置を実施するためのキットで、少なくとも１セットの吊り下げ部材、吊り下げ部材を体型保持組織に固定するための固定手段、その吊り下げ部材を引張り、固定するための手段から成るキット。
【手続補正２】
【補正対象書類名】明細書
【補正対象項目名】０００４
【補正方法】変更
【補正の内容】
【０００４】
多くの女性がプッシュ・アップ・ブラジャーを用いて自身の乳房を保持している。しかし、この持ち上げは時として快適でなくなり、衣服の選択を制限することがある。
【手続補正３】
【補正対象書類名】明細書
【補正対象項目名】００５０
【補正方法】変更
【補正の内容】
【００５０】
８０と指定した別のツール（そのようなツールは図８Ａ−８Ｄを参照して詳細に開示されている）を用いて、抱え部材の自由端５２及び吊り下げ部材の対応する自由端７６を乳房の両側で同時に結合する（図３Ｅ）。好ましくは患者が起き上がった状態の間に、ツール８０を用いて、反復引張りトリガー（ｔｒｉｇｇｅｒ）８４により乳房が希望の位置に高くなるまで引張りを始める。この操作により乳房の新しい形と位置がリアル・タイム（ｒｅａｌ ｔｉｍｅ）表示される。さらに、患者が乳房持ち上げの程度についての決定に参加できる。
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
完全合成起源である骨代用材料を受入れるための少なくとも１個の穴（２）を有する外科用インプラント（１）において、
穴（２）がインプラント（１）の上面へ円錐形または楔形に広がることを特徴とする、外科用インプラント（１）。
【請求項２】
２〜８個の互いに分離した穴（３）を有することを特徴とする、請求項１に記載のインプラント（１）。
【請求項３】
Ｘ線透過材料、好ましくはポリマーから成ることを特徴とする、請求項１または２に記載のインプラント（１）。
【請求項４】
ポリマーがＰＥＥＫであることを特徴とする、請求項３に記載のインプラント（１）。
【請求項５】
椎間インプラントとして形成されていることを特徴とする、請求項１〜４のいずれか１つに記載のインプラント（１）。
【請求項６】
２つの隣接した椎体の終板への付着に適した上面（４）および下面（５）を有するケージとして形成されていることを特徴とする、請求項５に記載のインプラント（１）。
【請求項７】
穴（３）が、上面（４）を下面（５）と結合することを特徴とする、請求項６に記載のインプラント（１）。
【請求項８】
上面（４）および／または下面（５）が、三次元構造（６）を有することを特徴とする、請求項６または７に記載のインプラント（１）。
【請求項９】
少なくとも１個の穴（２）が、完全合成起源の骨代用材料で充填されていることを特徴とする、請求項１〜８のいずれか１つに記載のインプラント（１）。
【請求項１０】
骨代用材料（１）が、穴（２）の形状に対応する剛性の形態の本体（３）であることを特徴とする、請求項９に記載のインプラント（１）。
【請求項１１】
本体（３）が、固定したプレス適合によって穴（２）内に組込まれていることを特徴とする、請求項１０に記載のインプラント（１）。  
【請求項１２】
本体（３）が、固定手段、好ましくはねじまたは釘で穴（２）内に固定されていることを特徴とする、請求項１０に記載のインプラント（１）。
【請求項１３】
骨代用材料（１）が、可塑性に変形可能な形態の、穴（３）へ導入可能な材料であることを特徴とする、請求項９に記載のインプラント（１）。
【請求項１４】
本体（３）が、少なくとも部分的に生体吸収性材料、好ましくはヒドロキシアパタイトまたは三リン酸カリウムから成る骨代用材料から成ることを特徴とする、請求項１〜１３のいずれか１つに記載のインプラント（１）。
【請求項１５】
本体（３）が、少なくとも２５％、好ましくは少なくとも３５％の多孔性度を有する骨代用材料から成ることを特徴とする、請求項１〜１４のいずれか１つに記載のインプラント（１）。
【請求項１６】
本体（３）が、多孔性骨代用材料から成り、ここで孔の５０％が２００〜５００ミクロンの直径を有することを特徴とする、請求項１〜１５のいずれか１つに記載のインプラント（１）。
【請求項１７】
本体（３）が、個々の孔の間が結合を有する骨代用材料からなり、前記孔が１０〜５００ミクロン好ましくは２００〜４００ミクロンの直径を有する、ことを特徴とする請求項１〜１６のいずれか１つに記載のインプラント（１）。
【請求項１８】
穴（２）の形状に対応する完全合成の骨代用材料の剛性の本体（３）が、インプラントの穴（２）に押し込められ、または固定手段でその中に固定されることを特徴とする、請求項１〜１７のいずれか１つに記載のインプラントの製造方法。
【請求項１９】
可塑性の好ましくはこねることができる完全合成の材料、好ましくは粒状の骨代用材料が、穴（２）に導入されることを特徴とする、請求項１〜１７のいずれか１つに記載のインプラントの製造方法。
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
歯科矯正装置であって、当該装置を歯に結合させるための基部を有する歯科矯正装置と、
重合性成分と、フッ化物放出材料と、親水性成分と、硬化剤と、酸性成分と、少なくとも約７０ｍ2／ｇの表面積を有するヒュームドシリカを含むフィラーとを含む、前記装置の前記基部上の接着剤と、
その基部上に接着剤を有する前記歯科矯正装置を少なくとも部分的に包囲する容器と、
を含む包装物品。
【請求項２】
歯科矯正装置であって、当該装置を歯に結合させるための基部を有する歯科矯正装置と、
重合性成分と、フッ化物放出材料と、親水性成分と、硬化剤と、酸性成分と、フィラーと、光退色性染料とを含む、前記装置の前記基部上の接着剤であって、化学線放射への暴露前に初期色を有し、かつ化学線放射への暴露後に最終色を有し、ここでは前記初期色が前記最終色とは異なる接着剤と、
その基部上に接着剤を有する前記歯科矯正装置を少なくとも部分的に包囲する容器と、
を含む包装物品。
【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
夫々が目的の少なくとも１つのポリペプチドをコードする２つのポリペプチド発現ユニットを含む細胞であって、ポリペプチド発現ユニット夫々が、（ａ)図６の配列ＩＤ：１〜６５；（ｂ）図６の配列ＩＤ：１〜６５の機能的等価体；及び（ｃ）図６の配列ＩＤ：１〜６５の機能的フラグメントからなる群から選択される少なくとも１つの安定化抗リプレッサー（Stabilizing Anti-Repressor:STAR）配列を含むことを特徴とする細胞。
【請求項２】
２つのポリペプチド発現ユニット夫々が、異なる選択マーカーをさらにコードする、請求項１に記載の細胞。
【請求項３】
ポリペプチド発現ユニットの少なくとも１つが目的のポリペプチドをコードするオープンリーディングフレームを含むモノシストロニックな遺伝子を含み、及び該モノシストロニックな遺伝子が機能プロモーターの制御下にある、請求項１又は２に記載の細胞。
【請求項４】
ポリペプチド発現ユニットの少なくとも１つが、下記順で：（ｉ）目的のポリペプチドをコードするオープンリーディングフレーム、（ｉｉ）内部リボソーム侵入部位（IRES：Internal Ribosome Entry Site）、及び（ｉｉｉ）選択マーカーを含むビシストロニックな遺伝子を含み、及び該ビシストロニックな遺伝子が機能プロモーターの制御下にある、請求項１又は２に記載の細胞。
【請求項５】
ポリペプチド発現ユニットの少なくとも１つは、ポリペプチド発現ユニットがSTAR配列の少なくとも１つによって両側で隣接されているように配置された該STAR配列の少なくとも２つを含む、請求項１〜４のいずれか一項に記載の細胞。
【請求項６】
少なくとも２つのSTAR配列が本質的に同一である、請求項５に記載の細胞。
【請求項７】
目的の少なくとも１つのポリペプチドがイムノグロブリン重鎖又はイムノグロブリン軽鎖を含み、好ましくは目的の少なくとも１つのポリペプチドがイムノグロブリン重鎖を含み且つ目的の他方のポリペプチドがイムノグロブリン軽鎖を含み、イムノグロブリン重鎖及びイムノグロブリン軽鎖が機能的抗体を形成しうる、請求項１〜６のいずれか一項に記載の細胞。
【請求項８】
少なくとも１つのSTAR配列がSTAR7（図６の配列ＩＤ：７）又はその機能的等価体若しくは機能的フラグメントを含む、請求項１〜７に記載のいずれか一項に記載の細胞。
【請求項９】
細胞において目的の少なくとも２つのポリペプチドを発現するための方法であって、ポリペプチド発現ユニットが発現される条件下で請求項１〜８のいずれか一項に記載の細胞を培養することを含む方法。
【請求項１０】
下記順で：（ｉ）目的のポリペプチドをコードするオープンリーディングフレーム、（ｉｉ）内部リボソーム侵入部位（IRES：Internal Ribosome Entry Site）、及び（ｉｉｉ）選択マーカーを含むビシストロニックな遺伝子、及び
（ａ)図６の配列ＩＤ：１〜６５；（ｂ）図６の配列ＩＤ：１〜６５の機能的等価体；及び（ｃ）図６の配列ＩＤ：１〜６５の機能的フラグメントからなる群から選択される少なくとも１つのSTAR配列
を含むポリペプチド発現ユニット。
【請求項１１】
ポリペプチド発現ユニットがSTAR配列の少なくとも１つによって両側で隣接されているように配置された該STAR配列の少なくとも２つを含む、請求項１０に記載のポリペプチド発現ユニット。
【請求項１２】
少なくとも２つのSTAR配列が本質的に同一である、請求項１１に記載のポリペプチド発現ユニット。
【請求項１３】
目的のポリペプチドがイムノグロブリン重鎖又はイムノグロブリン軽鎖を含む、請求項１０〜１２のいずれか一項に記載のポリペプチド発現ユニット。
【請求項１４】
少なくとも１つのSTAR配列がSTAR7（図６の配列ＩＤ：７）又はその機能的等価体若しくは機能的フラグメントを含む、請求項１０〜１３のいずれか一項に記載のポリペプチド発現ユニット。
【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
糖尿病または前糖尿病の個体を治療するための薬剤を同定するための方法であって、以下の工程を含む方法：
（i）配列番号:2、配列番号:4、配列番号:6、または配列番号:9をコードする核酸にストリンジェントな条件下でハイブリダイズする核酸によってコードされるポリペプチドを含む溶液と薬剤を接触させる工程；
（ii）ポリペプチドの発現もしくは活性を減少させる薬剤または該ポリペプチドに結合する薬剤を選択する工程；および
（iii）選択された薬剤を、細胞中でのインスリン感受性を調節する能力について試験し、それによって細胞中でのインスリン感受性を調節することができる薬剤を同定する工程。
【請求項２】
試験する工程が、動物に薬剤を投与する工程、およびインスリン感受性の調節について動物を試験する工程を含む、請求項1記載の方法。
【請求項３】
配列番号:2をコードする核酸にストリンジェントな条件下でハイブリダイズする核酸によってコードされるポリペプチドのレベルを、個体からの試料中で検出する工程を含む、糖尿病または前糖尿病の個体を診断する方法であって、
痩せた人におけるポリペプチドのレベル、または個体からの以前の試料におけるポリペプチドのレベルと比較して、試料中のポリペプチドのレベルが増加すれば、個体が糖尿病または前糖尿病であることを示す、方法。
【請求項４】
異種ポリヌクレオチドに作動可能に連結されたプロモーターを含む発現カセットであって、プロモーターが配列番号:10または配列番号:11を含む、発現カセット。
【請求項５】
異種ポリヌクレオチドに作動可能に連結されたプロモーターを含む発現カセットを導入する工程を含む、筋肉細胞中でポリヌクレオチドを発現する方法であって、プロモーターが配列番号:10または配列番号:11を含む、方法。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
膜脂質二分子層の集合を、該膜脂質の粗粒度モデルを用いてシミュレートするための方法であって、
（１）該膜脂質を、粗粒度モデルを用いて提示する工程；
（２）モンテカルロシミュレーション手順を使用して、一群の該粗粒度モデルから初期二分子層様構造を作成する工程；
（３）分子動力学シミュレーションを使用して、該初期二分子層構造を精緻化する工程；
（４）該精緻化された二分子層様構造の提示を出力する工程；および
（５）該精緻化された二分子層様構造から該膜脂質の粗粒度モデルに関する粗粒度の力場を決定する工程
を包含する、方法。
【請求項２】
請求項１に記載の方法であって、工程（３）は、定圧条件下で前記分子動力学シミュレーションを実施する工程を包含する、方法。
【請求項３】
請求項１に記載の方法であって、工程（１）は、粗粒度モデルを用いて、ジミリストイル−ｓｎ−グリセロ−ホスファチジルコリン膜脂質を提示する工程を包含する、方法。
【請求項４】
請求項３に記載の方法であって、工程（３）は、定圧条件かつ定温条件下で前記分子動力学シミュレーションを実施する工程を包含する、方法。
【請求項５】
請求項３に記載の方法であって、工程（１）は、少なくとも１０００個の粗粒度分子および少なくとも５０００部位を用いて、前記ジミリストイル−ｓｎ−グリセロ−ホスファチジルコリン膜脂質を提示する工程をさらに包含する、方法。
【請求項６】
請求項５に記載の方法であって、工程（３）は、定圧条件下で前記分子動力学シミュレーションを実施する工程を包含する、方法。
【請求項７】
請求項３に記載の方法であって、工程（１）は、
（ａ）炭化水素中の炭素原子の三重項およびそれに付随する水素原子を、球状物体として提示する工程；
（ｂ）伸縮ポテンシャルおよび屈曲ポテンシャルを使用して、炭化水素部位を一緒に連結して鎖を形成する工程；および
（ｃ）水分子の三重項を球状物体として提示する工程；
を包含する、方法。
【請求項８】
請求項７に記載の方法であって、工程（１）は、
（ｄ）コリン骨格を第１球状物体として提示する工程；
（ｅ）リン酸骨格を第２球状物体として提示する工程；および
（ｆ）コリン骨格を第３球状物体として提示する工程；
をさらに包含する、方法。
【請求項９】
請求項１に記載の方法であって、工程（２）は、前記粗粒度モデルの乱雑な群から前記初期二分子層様構造を作成する工程を包含する、方法。
【請求項１０】
請求項１に記載の方法であって、工程（３）は長さ４の能勢−フーバー鎖を使用して、カノニカルアンサンブルにて前記分子動力学シミュレーションを実行する工程を包含する、方法。
【請求項１１】
請求項１に記載の方法であって、工程（３）は、運動方程式の３段ＲＥＳＰＡ積分を使用して、多時間刻み分子動力学シミュレーションを実施する工程、を包含する、方法。
【請求項１２】
請求項１に記載の方法であって、工程（３）は、
（ａ）長さ４の能勢−フーバーの鎖を使用して、カノニカルアンサンブルにて前記分子動力学シミュレーションを実行する工程；および
（ｂ）運動方程式の三段階のＲＥＳＰＡ積分を使用して、多時間刻み分子動力学シミュレーションを実施する工程；
を包含する、方法。
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
ポリイミド層と、前記ポリイミド層に固定された非混合ＰＦＡ層と、前記非混合ＰＦＡ層に固定された低減した結晶性を有するｍ−ＲＴＦＥ層を含み、前記ｍ−ＰＴＦＥ層が流体にさらされるように配置されている、耐薬品性で、溶出分を有さない層状膜。
【請求項２】
第１の層と反対側の前記ポリイミドの面に固定された非混合ＰＦＡの追加層と、前記非混合ＰＦＡの追加層に固定された低減した結晶性を有するｍ−ＰＴＦＥの追加層をさらに含む請求項１に記載の層状膜。
【請求項３】
機械的強度を有する、耐薬品性で、溶出分を有さない層状膜を製造する方法であって、
以下の順序、すなわち、低減した結晶性を有するｍ−ＰＴＦＥ、非混合ＰＦＡおよびポリイミドで材料を多層サンドイッチ状に配置するステップ、および
前記材料をヒートボンディングするステップを含む方法。
【請求項４】
機械的強度を有する、耐薬品性で、溶出分を有さない層状膜を製造する方法であって、
以下の順序、すなわち、低減した結晶性を有するｍ−ＰＴＦＥ、非混合ＰＦＡ、ポリイミド、非混合ＰＦＡおよび低減した結晶性を有するｍ−ＰＴＦＥで材料を多層サンドイッチ状に配置するステップ、および
前記材料をヒートボンディングするステップを含む方法。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
ａ）複数の無機ナノ粒子を潜在カップリング剤と接触させて、潜在反応性ナノ粒子を形成する工程と、
ｂ）前記潜在反応性ナノ粒子をバインダー前駆体と密接に混合する工程と、
ｃ）前記バインダー前駆体を硬化して、潜在反応性ナノ粒子を含む暴露された第１の表面を有するナノ複合材を形成する工程と、
ｄ）前記ナノ複合材の第１の表面において、複数の潜在反応性ナノ粒子を脱保護して反応性ナノ粒子を形成する工程と、
ｅ）前記ナノ複合材の前記第１の表面に存在する複数の前記反応性ナノ粒子にフッ素化有機基が共有結合されるように、反応性フルオロケミカルを前記ナノ複合材の前記第１の表面と接触させる工程と
を含む、耐汚染性および耐磨耗性物品の製造方法。
【請求項２】
第１の基材の第１の主表面上に前記バインダー前駆体を被覆する工程をさらに含む、請求項１に記載の方法。
【請求項３】
請求項１または２に記載の方法により製造された、耐汚染性および耐磨耗性物品。
【手続補正２】
【補正対象書類名】明細書
【補正対象項目名】０１９０
【補正方法】変更
【補正の内容】
【０１９０】
二重剥離ライナーを有する０．１３ｍｍ厚のアクリル転移ＰＳＡフィルム（商品名３Ｍ  ９４８３  オプティカリー  クリアー  ラミネーティング  アドヘーシブ（３Ｍ  ９４８３  Ｏｐｔｉｃａｌｌｙ  Ｃｌｅａｒ  Ｌａｍｉｎａｔｉｎｇ  Ａｄｈｅｓｉｖｅ）を有し、ミネソタ州、セントポール（Ｓｔ．Ｐａｕｌ，ＭＮ）の３Ｍ  カンパニー（３Ｍ  Ｃｏｍｐａｎｙ）から入手可能）から１つの剥離ライナーを除去し、ラミネーティングゴムローラーを使用して、実施例３３のＰＥＴポリマーフィルムの、被覆されていない表面（すなわち、第２の主表面）に適用した。
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
粉末を移送する複数のデバイス（１）を備えた輸送システムであって、ここで各デバイス（１）が：
移送チャンバー（３）であって、その中に該粉末のための供給ライン（６）および排出ライン（８）が開口する移送チャンバー（３）；および
該移送チャンバー（３）中に負の圧力を生成する手段；を備え、
該デバイス（１）中の負の圧力を生成する手段が、該移送チャンバー中で移動可能であるピストン（１１）を有し、該輸送システムは、ダイアフラムを有さず、そして該排出ライン（８）が共通消費点を通る、輸送システム。
【請求項２】
個々の前記ピストン（１１）の非同期往復移動を確実にするための制御ユニットをさらに有する、請求項１に記載の輸送システム。
【請求項３】
２つのデバイス（１）を有する、請求項１または２に記載の輸送システム。
【請求項４】
前記移送チャンバー（３）に圧縮ガスを供給するための通路（１２）をさらに有する、請求項１〜３のいずれか１つに記載の輸送システム。
【請求項５】
前記通路（１２）が、前記ピストン（１１）の下死点（ＢＤＣ）の上で前記移送チャンバー（３）中に開口する、請求項４に記載の輸送システム。
【請求項６】
前記通路が、前記移送チャンバー（３）への開口を備えた周縁溝中に開口する、請求項４または５に記載の輸送システム。
【請求項７】
前記周縁溝が、０．０５〜１ｍｍの幅を有する、請求項６に記載の輸送システム。
【請求項８】
前記移送チャンバー（３）の下部（３ａ）、前記供給ライン（６）および前記排出ライン（８）が同一材料から作製され、そして特に置換可能なユニットである、請求項１〜７のいずれか１つに記載の輸送システム。
【請求項９】
前記排出ライン（８）の少なくとも１つが、８ｍｍより小さい、特に６．５ｍｍより小さい内径を有する、請求項１〜８のいずれか１つに記載の輸送システム。
【請求項１０】
前記排出ライン（８）の少なくとも１つが、少なくとも５ｍの長さ、特に少なくとも１０ｍの長さを有する、請求項１〜９のいずれか１つに記載の輸送システム。
【請求項１１】
前記ピストン（１１）が、脱離部材（３２）により、駆動ユニット（３１）に連結される、請求項１〜１０のいずれか１つに記載の輸送システム。
【請求項１２】
前記ピストン（１１）が、前記駆動ユニット（３１）に直接連結される、請求項１〜１１のいずれか１つに記載の、輸送システム。
【請求項１３】
前記ピストン（１１）の上死点（ＴＤＣ）と下死点（ＢＤＣ）との間の領域中の移送チャンバーの内直径が、該ピストン（１１）の外径より０．２〜０．８ｍｍ大きい直径を有する、請求項１〜１２のいずれか１つに記載の輸送システム。
【請求項１４】
バルブが閉鎖し、そして前記ピストンが下死点にある死容積が、前記移送チャンバーの全容積の１／１０より小さい、特に１／５０より小さい、請求項１〜１３のいずれか１つに記載の輸送システム。
【請求項１５】
デバイスによって粉末を輸送する方法であって、該デバイスが、
移送チャンバー（３）であって、その中に該粉末のための供給ライン（６）および排出ライン（８）が開口する移送チャンバー（３）；該移送チャンバー中に負の圧力を生成するためのピストン（１１）および該移送チャンバー（３）に圧縮ガスを供給するための通路を備え、ここで該ピストン（１１）が、その初期位置からの移動、次に、圧縮ガスが該移送チャンバー（３）中に入り、そして後に該ピストン（１１）がその初期位置に戻る結果、該移送チャンバー中に粉末を吸引し、
該排出ライン（８）は、該ピストン（１１）がそのストロークの上死点に到達したとき閉鎖され；
圧縮空気が、少なくとも１５ｍｓの待ち時間の後、該移送チャンバー（３）中に導入され；
該ピストン（１１）が、少なくとも１１０ｍｓの待ち時間の後、圧縮空気の提供により下に移動し；
該圧縮空気の提供が、下死点に到達する前の遅くとも２０ｍｓで終了し；そして
該排出ラインが閉鎖される、
方法。
【請求項１６】
前記供給ライン（６）の閉鎖と前記排出ライン（８）の開放とが同時に起こらない、請求項１５に記載の方法。
【請求項１７】
前記ピストンの下向き速度が一定でない、請求項１５または１６に記載の方法。
【請求項１８】
前記粉末の流速が、シリンダーのストロークにより調節される、請求項１５〜１７のいずれか１つに記載の方法。
【請求項１９】
前記粉末の流速が、シリンダーストロークの頻度により調節される、請求項１５〜１８のいずれか１つに記載の方法。
【請求項２０】
前記圧縮空気の提供が、前記排出ラインおよび供給ラインを閉鎖する前に終了する、請求項１５〜１９のいずれか１つに記載の方法。
【請求項２１】
連続操作の時間の間に清掃プログラムが稼動され、ここで、圧縮空気が、
・少なくとも２．５秒の持続時間の間に少なくとも４回該移送チャンバー（３）中に導入され；そしてその後、
・少なくとも６秒の持続時間の間に少なくとも１回、該移送チャンバー（３）中に導入される、請求項１５〜２０のいずれか１つに記載の方法。
【手続補正２】
【補正対象書類名】明細書
【補正対象項目名】０００９
【補正方法】変更
【補正の内容】
【０００９】
米国特許第３，３９１，９６３号によれば、輸送デバイス中のダイアフラムの粉末による詰まりは、このダイアフラムをピストンにより前後に動かすことにより防ぐことができる。このダイアフラムは波打ち、そしてそれに接着した粉末は、振るい落とされ得る。このデバイスは、移送チャンバーへの圧縮空気の提供なくして動作する。このデバイスは高価でかつ消耗し易い。なぜなら、それは、半透過性ダイアフラムを必要とするからである。さらに、接着する粉末の主要部分は、ダイアフラムの機械的移動により除去される。しかし、小量の粉末が、ダイアフラムの表面上に残り、その結果、動作の延長された期間後に、目詰まりが観察され得る。
空気力によりバルク材料を輸送するためのデバイスは、ＤＥ  １０  ８７  ５２０  Ｂからさらに公知であり、このデバイスは、公知の二重ピストン原理に従って作動する。
多孔性挿入物は、このデバイスと同様に使用され、輸送材料を、ピストンシステムの作動要素から分離する。このことは、輸送材料がこの作動要素と接触することを防止する。この刊行物の教示によれば、織られた材料、セラミックストーン材料、または焼結金属が、多孔性挿入物として使用され得る。このデバイスの重大な欠点は、微細な粉末を輸送する場合に、この挿入物が、迅速に粘着性になり得るか、または詰まり得ることである。非常に磨耗を受けやすいこと、および極端に短縮された保守間隔が、その結果である。その結果、このデバイスはまた、硬化性粉末および微細な粉末（例えば、粉末塗料など）を輸送するためには、あまり適さない。
【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
・第１硬質基材（Ｓ１）と、
・第２硬質基材（Ｓ２）と、
・第３の硬質、半硬質又は軟質基材（Ｓ３）と、
・少なくとも１つの層を含んで成り、かつ基材（Ｓ１とＳ２）の間、又は基材（Ｓ２とＳ３）の間に配置された少なくとも１つの活性系（Ａ）と、
・グレージングユニットの破損の際に破片を保持するという機能を有し、該基材（Ｓ１）と該基材（Ｓ２）の間、及び／若しくは該基材（Ｓ２）と該基材（Ｓ３）の間に配置されるか、並びに／又は該基材（Ｓ３）の一部を形成する少なくとも１つのポリマー膜と、
を連続的に含んで成り、
・該第３基材（Ｓ３）が他の２つの基材（Ｓ１とＳ２）に関して後退している
グレージングユニット。
【請求項２】
前記活性系が、エレクトロクロミック系、光学バルブ、ビオロゲン系、液晶系、エレクトロルミネッセンス系タイプの可変のエネルギー及び／又は光学的特性を有する、電気制御可能な系であることを特徴とする、請求項１に記載のグレージングユニット。
【請求項３】
前記活性系が、低放射率又は太陽遮断タイプの熱的機能を有し、音波減衰コーティングタイプの音響機能を有し、装飾若しくは吸収性、サーモクロミック又はサーモトロピックタイプの光学的機能を有する、薄層又は薄層のスタックであることを特徴とする、請求項１に記載のグレージングユニット。
【請求項４】
前記基材（Ｓ１）及び（Ｓ２）がガラスから作製され、前記基材（Ｓ３）がガラス又はポリマーに基づいた材料の何れかから作製されたことを特徴とする、請求項１〜３の何れか１項に記載のグレージングユニット。
【請求項５】
前記基材（Ｓ１）と前記基材（Ｓ２）の間、及び／又は前記基材（Ｓ２）と前記基材（Ｓ３）の間に、前記グレージングユニットの破損の際に破片を保持するという機能を有する、少なくとも１つの熱可塑性ポリマーシート（ｆ１、ｆ２）を含んで成ることを特徴とする、請求項１〜４の何れか１項に記載のグレージングユニット。
【請求項６】
３つの基材（Ｓ１）、（Ｓ２）、（Ｓ３）がガラスから作製され、熱可塑性ポリマーシート（ｆ１、ｆ２）によって互いに積層されたことを特徴とする、請求項１〜５の何れか１項に記載のグレージングユニット。
【請求項７】
前記基材（Ｓ１）及び（Ｓ２）がガラスから作製され、かつ前記基材（Ｓ３）が、破片を保持するという機能を有するポリマー膜又はポリマー膜の結合物であることを特徴とする、請求項１〜５の何れか１項に記載のグレージングユニット。
【請求項８】
前記基材（Ｓ３）が、機能系を備えているか又は備えていない場合のある面に関して、前記基材（Ｓ２）に直接又は接着剤を介して付着しているポリマー膜又はポリマー膜の結合物であることを特徴とする、請求項１〜５又は７の何れか１項に記載のグレージングユニット。
【請求項９】
前記活性系（Ａ）が、前記基材（Ｓ２）の外側（３）若しくは内側（４）の面上にあるか、又は前記基材（Ｓ３）の外面（５）の上にあることを特徴とする、請求項１〜８の何れか１項に記載のグレージングユニット。
【請求項１０】
前記基材（Ｓ１）及び（Ｓ２）と、それらの間に配置される可能性のある他のすべての材料との合計厚さ（ｅ１＋２）が８ｍｍ以下であることを特徴とする、請求項１〜９の何れか１項に記載のグレージングユニット。
【請求項１１】
前記基材（Ｓ１）及び（Ｓ２）が実質的に同一の寸法であり、かつ前記基材（Ｓ３）がより小さい寸法であり、少なくとも５ｍｍの深さ（ｐ）を有する開放された周囲溝の境界を画するように、基材（Ｓ２）に関して位置されたことを特徴とする、請求項１〜１０の何れか１項に記載のグレージングユニット。
【請求項１２】
前記溝の深さ（ｐ）が、その境界を画する前記基材（Ｓ２）及び（Ｓ３）の全周にわたって一定であることを特徴とする、請求項１１に記載のグレージングユニット。
【請求項１３】
前記活性系（Ａ）の活性表面が、前記第３基材（Ｓ３）と同様かそれよりも小さい寸法であることを特徴とする、請求項１〜１２の何れか１項に記載のグレージングユニット。
【請求項１４】
スクリーン印刷タイプの不透明な周囲コーティングを備えたことを特徴とする、請求項１〜１３の何れか１項に記載のグレージングユニット。
【請求項１５】
前記不透明な周囲コーティングを、前記基材（Ｓ１）の内面（２）の周囲上、及び／又は前記基材（Ｓ２）の外側（３）若しくは内側（４）の面の周囲上に備えたことを特徴とする、請求項１４に記載のグレージングユニット。
【請求項１６】
他の２つの基材（Ｓ１）、（Ｓ２）から前記基材（Ｓ３）を後退させることで、前記活性系が電気制御可能な場合に、該活性系（Ａ）のコネクター部材が通る開放された周囲溝の境界を画することを特徴とする、請求項１〜１５の何れか１項に記載のグレージングユニット。
【請求項１７】
少なくとも前記基材（Ｓ１）及び／若しくは（Ｓ２）の側面、並びに／又は前記基材（Ｓ３）の側面と接触している、少なくとも１つの周囲シール（Ｊ）を備えていることを特徴とする、請求項１〜１６の何れか１項に記載のグレージングユニット。
【請求項１８】
前記（複数の）周囲シール（Ｊ）が、押出によってもたらされるか若しくは得られ、又は封入によって得られることを特徴とする、請求項１７に記載のグレージングユニット。
【請求項１９】
前記周囲シール（Ｊ）、又はそれがいくつかある場合にはそれらのうちの少なくとも１つが、前記第１基材（Ｓ１）の外面（１）と同一平面であることを特徴とする、請求項１７又は請求項１８に記載のグレージングユニット。
【請求項２０】
前記周囲シール（Ｊ）、又はそれがいくつかある場合にはそれらのうちの少なくとも１つが、他の２つの基材（Ｓ１）、（Ｓ２）から前記基材（Ｓ３）を後退させることで境界を画される開放された周囲溝を少なくとも部分的に満たしたことを特徴とする、請求項１７〜１９の何れか１項に記載のグレージングユニット。
【請求項２１】
前記周囲シール（Ｊ）が前記活性系（Ａ）の接続部材によって横切られるか、及び／又は機械的な補強部材を少なくとも部分的に収容することを特徴とする、請求項２０に記載のグレージングユニット。
【請求項２２】
３つのペイン（Ｓ１）、（Ｓ２）、（Ｓ３）及び二重の積層体（ｆ１、ｆ２）を有し、該第２基材（Ｓ２）の外面（３）上に配置される全固体エレクトロクロミック系（Ａ）を備えた、三重のグレージングユニットであることを特徴とする、請求項１〜２１の何れか１項に記載のグレージングユニット。
【請求項２３】
自動車産業のためのグレージングユニットであるか、又は建物のためのグレージングユニットであることを特徴とする、請求項１〜２２の何れか１項に記載のグレージングユニット。
【請求項２４】
ＥＣＥ Ｒ４３及びＡＮＳＩ Ｚ２６．１規格の安全試験に合格したことを特徴とする、請求項１〜２３の何れか１項に記載のグレージングユニット。
【請求項２５】
サンルーフとしてかどうかに関わらず、請求項１〜２４の何れか１項に記載のグレージングユニットを備えたことを特徴とする、自動車。
【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
厚さが１２７マイクロメータ（５ミル）より大きく１：１．１〜１：７５の横アスペクト比（厚さ対幅）および６８９５ＭＰａ（１０００ｋｐｓｉ）以上の引張弾性率を有する、不連続な延伸半結晶質ポリマー繊維を含むセメント複合物品。
【請求項２】
繊維が２５４マイクロメータ（１０ミル）以上の厚さを有する、請求項１に記載の複合物品。
【請求項３】
繊維が厚さ１２７〜１２７０マイクロメータ（５〜５０ミル）、幅１９０．５〜７６２０マイクロメータ（７．５〜３００ミル）である、請求項１に記載の複合物品。
【請求項４】
前記ポリマーが、高密度および低密度ポリエチレン、ポリプロピレン、ポリオキシメチレン、ポリ（メチルペンテン）、ポリ（エチレンオキシド）、ポリ（エチレンテレフタレート）、ポリ（ブチレンテレフタレート）、ポリ（ビニリデンフルオリド）、ナイロン６、ナイロン６，６、ナイロン６，１２、ポリ（ビニルアルコール）、ポリブテン、またはそれらのコポリマーもしくはブレンドからなる群から選択される、請求項１に記載の複合物品。
【請求項５】
繊維が０℃より高いガラス転移温度を有さない、請求項１に記載の複合物品。
【請求項６】
繊維が０．５〜１０ｃｍの長さを有する、請求項１に記載の複合物品。
【請求項７】
０．１〜７重量％の付加された繊維を含む、請求項１に記載の複合物品。
【請求項８】
前記繊維が、５０，０００〜３５０，０００の重量平均分子量を有し、−３０℃より高いガラス転移温度を有さず、５％以下の破断点伸び、３４５Ｍｐａ以上（≧５０，０００ｐｓｉ）の引張強度および１６５〜１８０℃の融点を有する高延伸アイソタクチックポリプロピレンを含む、請求項１に記載の複合物品。
【請求項９】
湿潤した未硬化セメント母材を、厚さが１２７マイクロメータ（５ミル）より大きく１：１．１〜１：７５の横アスペクト比（厚さ対幅）および６８９５ＭＰａ（１０００ｋｐｓｉ）以上の引張弾性率の延伸半結晶質ポリマー繊維と混合する工程と、前記セメント母材を水硬させる工程と、を含む請求項１〜８のいずれか一項に記載のセメント複合物品の製造方法。
【請求項１０】
前記繊維が、
ａ）溶融加工可能なポリマーのキャストフィルムを押出す工程と、
ｂ）前記キャストフィルムを延伸する工程と、
ｃ）前記キャストフィルムを予め選択された幅のリボンにスリットする工程と、
前記リボンを予め選択された長さに切断する工程と、
によって作製される、請求項９に記載の複合物品の製造方法。
【請求項１１】
前記繊維が、スプリットの前に２つの非加熱テクスチャー化カレンダーロール間でフィルムを圧縮することによって得られる造形繊維である、請求項９に記載の方法。
【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】  眼内外科手術中、眼組織を潅流するための眼科用医薬組成物であって、平衡塩類溶液及び該組成物に２〜７ｃｐｓの粘度を付与するために十分な量の粘度調節剤を含み、４０〜６０ダイン／ｃｍの範囲の表面張力を有する組成物。
【請求項２】  粘度調節剤が、プロテオグリカン類、セルロース誘導体、コラーゲンまたは変性コラーゲン、ガラクトマンナン類、キサンタンガム類、ゲランガム類、アルギネート、キトサン類、ポリビニルアルコール、およびカルボキシビニルポリマーからなる群から選択される、請求項１に記載の組成物。
【請求項３】  粘度調節剤が、セルロース誘導体である、請求項２に記載の組成物。
【請求項４】  粘度調節剤が、ヒドロキシプロピルメチルセルロースを含む、請求項３に記載の組成物。
【請求項５】  前記組成物中のヒドロキシプロピルメチルセルロースの濃度が０．１〜１．０ｗ／ｖ％である、請求項４に記載の組成物。
【請求項６】  前記組成物中のヒドロキシプロピルメチルセルロースの濃度が０．１〜０．３ｗ／ｖ％である、請求項５に記載の組成物。
【請求項７】  前記組成物中のヒドロキシプロピルメチルセルロースの濃度が０．２〜０．３ｗ／ｖ％である、請求項６に記載の組成物。
【請求項８】  平衡塩類溶液が電解質／栄養溶液である、請求項１〜７のいずれか一項に記載の組成物。
【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
下記に示されるアミノ酸配列を有する、インスリン指向性ペプチドの誘導体およびこれから製造される医薬的に許容可能な塩。
Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｘ−Ｇｌｕ−Ｇｌｕ−Ｇｌｕ−Ａｌａ−Ｖａｌ−Ｙ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−Ｚ
（ここで、ＸはＡｒｇ、ＬｅｕまたはＩｌｅを、ＹはＨｉｓ、ＡｒｇまたはＬｙｓを、ＺはＡｒｇ−ＯＨ、−ＯＨ、−ＮＨ2またはＬｙｓ−ＯＨを示す。）
【請求項２】
ＹがＨｉｓまたはＬｙｓである、請求項１に記載のインスリン指向性ペプチドの誘導体およびこれから製造される医薬的に許容可能な塩。
【請求項３】
ＸがＬｅｕまたはＩｌｅ、ＹがＨｉｓまたはＬｙｓである、請求項１に記載のインスリン指向性ペプチドの誘導体およびこれから製造される医薬的に許容可能な塩。
【請求項４】
ＹがＨｉｓである、請求項３に記載のインスリン指向性ペプチドの誘導体およびこれから製造される医薬的に許容可能な塩。
【請求項５】
ＸがＡｒｇ、ＹがＨｉｓまたはＬｙｓである、請求項１に記載のインスリン指向性ペプチドの誘導体およびこれから製造される医薬的に許容可能な塩。
【請求項６】
ＹがＨｉｓである、請求項５に記載のインスリン指向性ペプチドの誘導体およびこれから製造される医薬的に許容可能な塩。
【請求項７】
Ｚが−ＯＨである、請求項１に記載のインスリン指向性ペプチドの誘導体およびこれから製造される医薬的に許容可能な塩。
【請求項８】
ＹがＨｉｓまたはＬｙｓである、請求項７に記載のインスリン指向性ペプチドの誘導体およびこれから製造される医薬的に許容可能な塩。
【請求項９】
ＹがＨｉｓである、請求項８に記載のインスリン指向性ペプチドの誘導体およびこれから製造される医薬的に許容可能な塩。
【請求項１０】
Ｚが−ＮＨ2である、請求項１に記載のインスリン指向性ペプチドの誘導体およびこれから製造される医薬的に許容可能な塩。
【請求項１１】
ＹがＨｉｓまたはＬｙｓである、請求項１０に記載のインスリン指向性ペプチドの誘導体およびこれから製造される医薬的に許容可能な塩。
【請求項１２】
ＹがＨｉｓである、請求項１１に記載のインスリン指向性ペプチドの誘導体およびこれから製造される医薬的に許容可能な塩。
【請求項１３】
ＺがＡｒｇ−ＯＨである、請求項１に記載のインスリン指向性ペプチドの誘導体およびこれから製造される医薬的に許容可能な塩。
【請求項１４】
ＸがＬｅｕまたはＩｌｅ、ＹがＬｙｓである、請求項１３に記載のインスリン指向性ペプチドの誘導体およびこれから製造される医薬的に許容可能な塩。
【請求項１５】
ＸがＬｅｕである、請求項１４に記載のインスリン指向性ペプチドの誘導体およびこれから製造される医薬的に許容可能な塩。
【請求項１６】
下記に示されるアミノ酸配列を有する、インスリン指向性ペプチドの誘導体およびこれから製造される医薬的に許容可能な塩。
Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｘ−Ｇｌｕ−Ｇｌｕ−Ｇｌｕ−Ａｌａ−Ｖａｌ−Ｙ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−Ｚ
（ここで、ＸはＭｅｔを、ＹはＨｉｓまたはＬｙｓを、ＺはＡｒｇ−ＯＨ、−ＯＨ、−ＮＨ2またはＬｙｓ−ＯＨを示す。）
【請求項１７】
ＹがＨｉｓである、請求項１６に記載のインスリン指向性ペプチドの誘導体およびこれから製造される医薬的に許容可能な塩。
【請求項１８】
ＺがＡｒｇ−ＯＨである、請求項１６に記載のインスリン指向性ペプチドの誘導体およびこれから製造される医薬的に許容可能な塩。
【請求項１９】
固相合成による請求項１〜１８のいずれかに記載のインスリン指向性ペプチド誘導体の製造方法であって、固相担体としてＨＭＰ樹脂を用いること、アミノ酸のアルファアミンを９−フルオレニルメトキシカルボニル（Ｆｍｏｃ）で保護すること、インスリン指向性ペプチド誘導体のアミノ酸配列に従いペプチド合成装置で残基を合成すること、並びに分離、精製および凍結乾燥工程後に産物を得ること、を含む方法。
【請求項２０】
遺伝子組み換え技術による請求項１〜１８のいずれかに記載のインスリン指向性ペプチド誘導体の製造方法であって、
ａ．インスリン指向性ペプチド誘導体のアミノ酸配列に従い遺伝子フラグメントを合成すること、
ｂ．遺伝子フラグメントのライゲーション、組み換えプラスミドの構築、細菌細胞の培養、および組み換えプラスミドの形質転換の後に、クローニングされた細菌株を得ること、
ｃ．細菌株の発酵および細胞壁の破壊後に、封入体を抽出すること、
ｄ．封入体の溶解、粗産物の分離、ＨＰＬＣによる精製および凍結乾燥工程の後に、最終産物を得ること、
を含む、方法。
【請求項２１】
請求項１〜１８のいずれかに記載のインスリン指向性ペプチド誘導体またはそれから製造される医薬的に許容可能な塩を含む、ＩＩ型糖尿病の処置剤。
【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
少なくとも１種の抗コリン作用剤(1)、少なくとも1種のコルチコステロイド(2)及び少なくとも１種のβ刺激剤(3)を、場合によってはそのエナンチオマー、エナンチオマーの混合物、又はラセミ体の形で、場合によっては溶媒和物又は水和物として、場合によっては薬学的に許容しうる賦形剤と共に含むことを特徴とする、医薬組成物。
【請求項２】
その活性物質1、2及び3が共に単一製剤か又は2つの個別製剤で存在することを特徴とする、請求項1記載の医薬組成物。
【請求項３】
1がチオトロピウム塩、オキシトロピウム塩又はイプラトロピウム塩からなる群より選ばれることを特徴とする、請求項1又は2記載の医薬組成物。
【請求項４】
1がその塩化物、臭化物、ヨウ化物、メタンスルホン酸塩、パラトルエンスルホン酸塩又はメチル硫酸塩として存在することを特徴とする、請求項3記載の医薬組成物。
【請求項５】
2がフルニソリド、ベクロメタゾン、トリアムシノロン、ブデソニド、フルチカゾン、モメタゾン、シクレソニド、ロフレポニド、GW 215864、KSR 592、ST-126又はデキサメタゾンより選ばれる、請求項1〜4のいずれか1項に記載の医薬組成物。
【請求項６】
2がフルニソリド、ベクロメタゾン、トリアムシノロン、ブデソニド、フルチカゾン、モメタゾン、シクレソニド又はデキサメタゾンより選ばれることを特徴とする、請求項5記載の医薬組成物。
【請求項７】
3がバンブテロール、ビトルテロール、カルブテロール、クレンブテロール、フェノテロール、ホルモテロール、ヘキソプレナリン、イブテロール、ピルブテロール、プロカテロール、レプロテロール、サルメテロール、スルホンテロール、テルブタリン、トルブテロール、4-ヒドロキシ-7-[2-{[2-{[3-(2-フェニルエトキシ)プロピル]スルホニル}エチル]アミノ}エチル]-2(3H)-ベンゾチアゾロン、1-(2-フルオロ-4-ヒドロキシフェニル)-2-[4-(1-ベンズイミダゾリル)-2-メチル-2-ブチルアミノ]エタノール、1-[3-(4-メトキシベンジルアミノ)-4-ヒドロキシフェニル]-2-[4-(1-ベンズイミダゾリル)-2-メチル-2-ブチルアミノ]エタノール、1-[2H-5-ヒドロキシ-3-オキソ-4H-1,4-ベンゾキサジン-8-イル]-2-[3-(4-N,N-ジメチルアミノフェニル)-2-メチル-2-プロピルアミノ]エタノール、1-[2H-5-ヒドロキシ-3-オキソ-4H-1,4-ベンゾキサジン-8-イル]-2-[3-(4-メトキシフェニル)-2-メチル-2-プロピルアミノ]エタノール、1-[2H-5-ヒドロキシ-3-オキソ-4H-1,4-ベンゾキサジン-8-イル]-2-[3-(4-n-ブチルオキシフェニル)-2-メチル-2-プロピルアミノ]エタノール、1-[2H-5-ヒドロキシ-3-オキソ-4H-1,4-ベンゾキサジン-8-イル]-2-{4-[3-(4-メトキシフェニル)-1,2,4-トリアゾール-3-イル]-2-メチル-2-ブチルアミノ}エタノール、5-ヒドロキシ-8-(1-ヒドロキシ-2-イソプロピルアミノブチル)-2H-1,4-ベンゾキサジン-3-(4H)-オン、1-(4-アミノ-3-クロロ-5-トリフルオロメチルフェニル)-2-tert-ブチルアミノ)エタノール又は1-(4-エトキシカルボニルアミノ-3-シアノ-5-フルオロフェニル)-2-(tert-ブチルアミノ)エタノールより選ばれることを特徴とする、請求項1〜6のいずれか1項に記載の医薬組成物。
【請求項８】
3がホルモテロール、サルメテロール、4-ヒドロキシ-7-[2-{[2-{[3-(2-フェニルエトキシ)プロピル]スルホニル}エチル]アミノ}エチル]-2(3H)-ベンゾチアゾロン、1-(2-フルオロ-4-ヒドロキシフェニル)-2-[4-(1-ベンズイミダゾリル)-2-メチル-2-ブチルアミノ]エタノール、1-[3-(4-メトキシベンジルアミノ)-4-ヒドロキシフェニル]-2-[4-(1-ベンズイミダゾリル)-2-メチル-2-ブチルアミノ]エタノール、1-[2H-5-ヒドロキシ-3-オキソ-4H-1,4-ベンゾキサジン-8-イル]-2-[3-(4-N,N-ジメチルアミノフェニル)-2-メチル-2-プロピルアミノ]エタノール、1-[2H-5-ヒドロキシ-3-オキソ-4H-1,4-ベンゾキサジン-8-イル]-2-[3-(4-メトキシフェニル)-2-メチル-2-プロピルアミノ]エタノール、1-[2H-5-ヒドロキシ-3-オキソ-4H-1,4-ベンゾキサジン-8-イル]-2-[3-(4-n-ブチルオキシフェニル)-2-メチル-2-プロピルアミノ]エタノール又は1-[2H-5-ヒドロキシ-3-オキソ-4H-1,4-ベンゾキサジン-8-イル]-2-{4-[3-(4-メトキシフェニル)-1,2,4-トリアゾール-3-イル]-2-メチル-2-ブチルアミノ}エタノールより選ばれることを特徴とする、請求項7記載の医薬組成物。
【請求項９】
1と2の重量比が1:300〜50:1の範囲にあることを特徴とする、請求項1〜8のいずれか1項に記載の医薬組成物。
【請求項１０】
1と3の重量比が1:300〜30:1の範囲にあることを特徴とする、請求項1〜9のいずれか1項に記載の医薬組成物。
【請求項１１】
吸入用粉末、噴射剤含有定量エアゾール又は噴射剤不含吸入用溶液又は懸濁液より選ばれる製剤であることを特徴とする、請求項1〜10のいずれか1項記載の医薬組成物。
【請求項１２】
1、2及び3を単糖類、二糖類、オリゴ糖類又は多糖類、多価アルコール、塩、又はこれらの賦形剤の混合物より選ばれる適切な生理的に許容しうる賦形剤と混合して含む吸入用粉末であることを特徴とする、請求項11記載の医薬組成物。
【請求項１３】
該賦形剤の最大平均粒径が250μmまであることを特徴とする、請求項14記載の医薬組成物。
【請求項１４】
該活性物質1、2及び3だけを成分として含む吸入用粉末であることを特徴とする、請求項11記載の医薬組成物。
【請求項１５】
1、2及び3を溶解又は分散した形で含む噴射剤含有吸入用エアゾールであることを特徴とする、請求項11記載の医薬組成物。
【請求項１６】
噴射ガスとしてn-プロパン、n-ブタン又はイソブタンのような炭化水素又はメタン、エタン、プロパン、ブタン、シクロプロパン又はシクロブタンの塩素化及び/又はフッ素化誘導体のようなハロゲン化炭化水素を含むことを特徴とする、請求項15記載の医薬組成物。
【請求項１７】
溶媒として水、エタノール又は水とエタノールの混合物を含む噴射剤不含吸入用溶液又は懸濁液であることを特徴とする、請求項11記載の医薬組成物。
【請求項１８】
呼吸器系の炎症性又は閉塞性疾患を治療する薬剤を調製するための請求項1〜17のいずれか1項に記載の医薬組成物の使用。